(57)【特許請求の範囲】
【請求項１】
コンテンツデータと着信メロディとを保持し、前記コンテンツデータの配信要求に応じて前記コンテンツデータおよび前記着信メロディを配信するサーバと、
前記コンテンツデータの配信要求を前記サーバへ送信し、前記サーバから前記コンテンツデータとともに着信メロディを受信する携帯電話機とを含む配信システム。
【請求項２】
前記携帯電話機は、前記サーバからの認証データの送信要求に応じて認証データを前記サーバへ送信し、前記サーバにおいて前記認証データが認証されたことに基づいて前記コンテンツデータおよび前記着信メロディを受信する、請求項１に記載の配信システム。
【請求項３】
前記サーバは、前記コンテンツデータの配信要求に応じて着信メロディを抽出して再生し、その再生した着信メロディを前記携帯電話機へ送信し、
前記携帯電話機は、前記着信メロディの配信要求が入力されたことに基づいて前記着信メロディの配信要求を前記サーバへ送信する、請求項１に記載の配信システム。
【請求項４】
前記携帯電話機は、前記サーバへ前記着信メロディの配信要求を送信した場合のみ前記着信メロディを受信する、請求項１に記載の配信システム。
【請求項５】
前記コンテンツデータは、音楽データであり、
前記サーバは、配信要求された音楽データに関連するメロディを前記着信メロディとして前記携帯電話機へ配信する、請求項１に記載の配信システム。
【請求項６】
前記コンテンツデータは、音楽データであり、
前記サーバは、配信要求される回数が所定回数以上の音楽データの一部を前記着信メロディとして前記携帯電話機へ配信する、請求項１に記載の配信システム。
【請求項７】
前記コンテンツデータは、音楽データであり、
前記サーバは、配信要求された音楽データの属するジャンルに基づいて決定される着信メロディを前記携帯電話機へ配信する、請求項１に記載の配信システム。
【請求項８】
前記携帯電話機は、前記コンテンツデータと前記着信メロディとを非通話状態で前記配信サーバから受信する、請求項１から請求項７のいずれか１項に記載の配信システム。
【請求項９】
前記携帯電話機のユーザは、前記コンテンツデータに対する料金のみを前記サーバへ支払う、請求項１から請求項８のいずれか１項に記載の配信システム。
【請求項１０】
コンテンツデータと着信メロディとを保持するサーバから前記コンテンツデータとともに前記着信メロディを受信する携帯電話機であって、
前記サーバとの通信を行なう送受信部と、
前記コンテンツデータおよび前記着信メロディを記憶するメモリ部と、
着信音発生部と、
指示を入力するためのキー操作部と、
制御部とを備え、
前記制御部は、前記キー操作部から入力された前記コンテンツデータの配信要求に応じて前記送受信部を介して前記配信要求を前記サーバへ送信し、前記送受信部を介して受信した前記コンテンツデータおよび前記着信メロディを前記メモリ部へ入力し、前記受信した着信メロディを前記着信音発生部に設定し、
前記着信音発生部は、前記制御部が前記送受信部を介して通常の通話を着信すると前記設定された着信メロディを発生させる、携帯電話機。
【請求項１１】
前記制御部は、前記サーバからの認証データの送信要求に応じて前記メモリ部に記憶された認証データを読出し、その読出した認証データを前記送受信部を介して前記サーバへ送信し、前記サーバにおいて前記認証データが認証されたことに基づいて前記コンテンツデータおよび前記着信メロディを前記送受信部を介して受信する、請求項１０に記載の携帯電話機。
【請求項１２】
前記制御部は、前記送受信部を介して前記着信メロディの配信要求を前記サーバへ送信した場合のみ前記着信メロディを受信する、請求項１０に記載の携帯電話機。
【請求項１３】
前記着信メロディを外部へ出力するための出力部をさらに備え、
前記制御部は、前記サーバにおいて再生された着信メロディを前記送受信部を介して受信し、その受信した着信メロディを前記出力部へ与え、
前記キー操作部を介して前記着信メロディの配信要求が入力されたことに応じて前記着信メロディの配信要求を前記送受信部を介して前記サーバへ送信する、請求項１０に記載の携帯電話機。
【請求項１４】
前記コンテンツデータは、音楽データであり、
前記制御部は、配信要求した音楽データに関連するメロディを前記着信メロディとして受信する、請求項１０に記載の携帯電話機。
【請求項１５】
前記コンテンツデータは、音楽データであり、
前記制御部は、前記サーバへ配信要求される回数が所定回数以上の音楽データの一部を前記着信メロディとして受信する、請求項１０に記載の携帯電話機。
【請求項１６】
前記コンテンツデータは、音楽データであり、
前記制御部は、配信要求した音楽データの属するジャンルに基づいて決定される着信メロディを受信する、請求項１０に記載の携帯電話機。
【請求項１７】
前記制御部は、前記コンテンツデータと前記着信メロディとを非通話状態で受信する、請求項１０から請求項１６のいずれか１項に記載の携帯電話機。
【請求項１８】
前記制御部は、前記キー操作部から入力された着信メロディの設定要求に応じて前記受信した着信メロディを前記メモリ部から読出して前記着信音発生部へ与える、請求項１０から請求項１７のいずれか１項に記載の携帯電話機。
【請求項１９】
コンテンツデータの配信要求を行ない、前記コンテンツデータと着信メロディとを受信して前記着信メロディを設定する携帯電話機と、
前記携帯電話機からの前記コンテンツデータの配信要求に応じて前記コンテンツデータと前記着信メロディとを前記携帯電話機に配信する事業者と、
前記コンテンツデータを前記事業者に提供するコンテンツ会社とを含み、
前記携帯電話機のユーザは、前記事業者に前記コンテンツデータに対する対価のみを支払い、
前記事業者は、前記コンテンツデータに対する対価を前記コンテンツ会社に支払い、前記コンテンツデータの広告料および販売手数料を前記コンテンツ会社から受取る、配信システム。
【発明の詳細な説明】
【０００１】
【発明の属する技術分野】
この発明は、コンテンツデータとともに着信メロディをユーザへ配信する配信システムおよびコンテンツデータと着信メロディとを受信する携帯電話機に関する。
【０００２】
【従来の技術】
近年、情報技術（ＩＴ（Ｉｎｆｏｒｍａｔｉｏｎ  Ｔｅｃｈｎｏｌｏｇｙ））の発達により携帯電話機は、本来の通話機能に加えて各種の情報を送受信するための携帯端末装置としての機能も有するに至っている。つまり、携帯電話機は、インターネットを介して各種情報の受信、およびメールの送受信等を行っている。
【０００３】
また、最近ではインターネットを介して音楽データの配信サービスも行なわれている。たとえば、音楽ＣＤを販売する販売会社がインターネットを介して音楽データを無料でユーザに配信し、ユーザが配信された音楽データを聴き、その音楽データが記録された音楽ＣＤを購入することによって音楽ＣＤの販売数を増やそうとしている。このように、インターネットによる音楽配信は、音楽ＣＤの広告として用いられている。また、音楽データは、広告としてではなく、販売のためにインターネットまたはコンビニエンスストアに設置されたステーションを介してユーザに配信される場合もある。
【０００４】
一方、携帯電話機は、他人からの通話を受信したとき、受信したことを携帯電話機のユーザに知らせるための着信メロディ機能を有している。そして、この着信メロディは、携帯電話機を製造している各社において、殆ど同じであり、複数の携帯電話機に同時に着信があった場合、どの携帯電話機に着信があったのかが解りにくい。このような事情から最近では、携帯電話機のユーザは自分の好みの着信メロディを携帯電話機に登録することができる。つまり、携帯電話機に備えられたキーを用いて各音符を登録して１つの着信メロディを携帯電話機に登録したり、購入した携帯電話機に備えられた複数の着信メロディから自分の好きな着信メロディを選択することによって着信メロディを携帯電話機に登録することが行なわれている。
【０００５】
また、最近では、一部の機種において、携帯電話のメールサービスで着信メロディを配信し、ユーザが希望の着信メロディを購入して音符データをダウンロードすることにより、携帯電話機の着信メロディとして取込むことを可能にする、いわゆる「着信メロディサービス」が提供されている。このような着信メロディサービスでは、ユーザが携帯電話機を通話状態にしてメロディセンタへアクセスし、メロディの試聴、選択、ダウンロード、および登録までの一連の過程を行なう。
【０００６】
上述したように、携帯電話機を用いて各種のサービスが行なわれようとしており、配信されるコンテンツデータも音楽データに限らず、画像データ、地図データ等の各種のコンテンツデータが配信されることが予想される。
【０００７】
【発明が解決しようとする課題】
しかし、着信メロディを複数種類の着信音パターンや着信メロディから選択する方法では、着信音パターンやメロディが限られており、ユーザの希望する着信メロディが必ず存在するとは限らない。また、手入力による着信メロディの作成であると、各音符を１つづつ手入力するため煩雑であり、メロディ全体を入力するのに長時間を要する。さらに、上述した着信メロディサービスによる方法では、メロディセンタへアクセスしてから着信メロディのダウンロードおよび着信メロディの登録までの間、メロディセンタと通話状態を保持しなければならず、ユーザが通話費用を負担しなければならい。このように、データ圧縮されてデータ量の小さい着信メロディデータをダウンロードするのにも、配信手続きが煩雑な上、毎回通話料が必要であるという問題がある。
【０００８】
そこで、本発明は、かかる問題を解決するためになされたものであり、その目的は、簡単に着信メロディを登録・変更できるコンテンツデータの配信システムおよび携帯電話機を提供することである。
【０００９】
【課題を解決するための手段および発明の効果】
この発明による配信システムは、コンテンツデータと着信メロディとを保持し、コンテンツデータの配信要求に応じてコンテンツデータおよび着信メロディを配信するサーバと、コンテンツデータの配信要求をサーバへ送信し、サーバからコンテンツデータとともに着信メロディを受信する携帯電話機とを含む。
【００１０】
この発明による配信システムにおいては、携帯電話機がコンテンツデータの配信要求をサーバへ行なうと、サーバは、配信要求に応じてコンテンツデータと着信メロディとを携帯電話機へ送信する。
【００１１】
したがって、この発明によれば、携帯電話機のユーザは、コンテンツデータを受信時に着信メロディも同時に受信できる。その結果、ユーザは、自己の携帯電話機に容易に着信メロディを受信できる。
【００１２】
好ましくは、携帯電話機は、サーバからの認証データの送信要求に応じて認証データをサーバへ送信し、サーバにおいて認証データが認証されたことに基づいてコンテンツデータおよび着信メロディを受信する。
【００１３】
携帯電話機は、サーバへ認証データを送信し、サーバにおいて正規の携帯電話機からのアクセスであると判断された後、コンテンツデータおよび着信メロディを受信する。
【００１４】
したがって、この発明によれば、正規の携帯電話機のユーザにだけ、コンテンツデータとともに着信メロディを配信できる。
【００１５】
好ましくは、サーバは、コンテンツデータの配信要求に応じて着信メロディを抽出して再生し、その再生した着信メロディを携帯電話機へ送信し、携帯電話機は、着信メロディの配信要求が入力されたことに基づいて着信メロディの配信要求をサーバへ送信する。
【００１６】
携帯電話機は、サーバとの間で通話状態を保持したまま、サーバで再生された着信メロディを受信する。そして、携帯電話機のユーザは、着信メロディを試聴した後に、その着信メロディの配信を要求するか否かを入力する。携帯電話機は、ユーザが着信メロディの配信要求を入力したとき、その配信要求をサーバへ送信する。
【００１７】
したがって、この発明によれば、ユーザは実際に試聴して着信メロディの配信を受けるか否かを決定でき、好きな着信メロディのみを受信できる。
【００１８】
好ましくは、携帯電話機は、サーバへ着信メロディの配信要求を送信した場合のみ着信メロディを受信する。
【００１９】
携帯電話機は、サーバへコンテンツデータの配信要求を行なう場合、着信メロディの配信を要求するか否かを判断し、必要な場合だけ着信メロディの配信要求をサーバへ行なう。
【００２０】
したがって、この発明によれば、携帯電話機のユーザは、着信メロディを新しくしたいと思ったときに更新できる。
【００２１】
好ましくは、コンテンツデータは、音楽データであり、サーバは、配信要求された音楽データに関連するメロディを着信メロディとして携帯電話機へ配信する。
【００２２】
サーバは、音楽コンテンツデータの配信要求があったとき、その音楽コンテンツデータとともに、その音楽コンテンツデータと関連する着信メロディを携帯電話機へ配信する。
【００２３】
したがって、この発明によれば、ユーザが聴きたいと思った曲を着信メロディとして携帯電話機に設定できる。
【００２４】
好ましくは、コンテンツデータは、音楽データであり、サーバは、配信要求される回数が所定回数以上の音楽データの一部を着信メロディとして携帯電話機へ配信する。
【００２５】
サーバは、音楽コンテンツデータの配信要求を受信すると、人気の高い曲の一部を着信メロディとして携帯電話機へ送信する。
【００２６】
したがって、この発明によれば、ユーザは流行っている曲を着信メロディとして携帯電話機に設定できる。
【００２７】
好ましくは、コンテンツデータは、音楽データであり、サーバは、配信要求された音楽データの属するジャンルに基づいて決定される着信メロディを前記携帯電話機へ配信する。
【００２８】
サーバは、音楽コンテンツデータの配信要求を受信すると、配信要求された音楽コンテンツデータの属するジャンルに対して決定されている着信メロディを携帯電話機へ送信する。
【００２９】
したがって、この発明によれば、同じジャンルの音楽コンテンツデータの配信を要求する限り、携帯電話機は同じ着信メロディを受信できる。
【００３０】
好ましくは、携帯電話機は、コンテンツデータと着信メロディとを非通話状態で配信サーバから受信する。
【００３１】
携帯電話機は、コンテンツデータと着信メロディとを非通話状態で受信する。
したがって、この発明によれば、携帯電話機のユーザは、より少ない費用でコンテンツデータを受信できる。
【００３２】
好ましくは、携帯電話機のユーザは、コンテンツデータに対する料金のみをサーバへ支払う。
【００３３】
携帯電話機のユーザは、着信メロディを無料でコンテンツデータとともに受信する。
【００３４】
したがって、この発明によれば、携帯電話機のユーザは、着信メロディをサービスとして受信できる。
【００３５】
また、この発明による携帯電話機は、コンテンツデータと着信メロディとを保持するサーバからコンテンツデータとともに着信メロディを受信する携帯電話機であって、サーバとの通信を行なう送受信部と、コンテンツデータおよび着信メロディを記憶するメモリ部と、着信音発生部と、指示を入力するためのキー操作部と、制御部とを備え、制御部は、キー操作部から入力されたコンテンツデータの配信要求に応じて送受信部を介して配信要求をサーバへ送信し、送受信部を介して受信したコンテンツデータおよび着信メロディをメモリ部へ入力し、受信した着信メロディを着信音発生部に設定し、着信音発生部は、制御部が送受信部を介して通常の通話を着信すると設定された着信メロディを発生させる。
【００３６】
この発明による携帯電話機においては、キー操作部を介してコンテンツデータの配信要求が入力されると、コンテンツデータの配信要求をサーバへ送信し、サーバからコンテンツデータおよび着信メロディを受信する。受信したコンテンツデータおよび着信メロディはメモリに記憶されるとともに、着信メロディは着信音発生部に設定される。そして、他の携帯電話機から着信があると、着信音発生部は、新たに設定された着信メロディを発生させる。
【００３７】
したがって、この発明によれば、携帯電話機は、コンテンツデータとともに受信した着信メロディを自動設定できる。
【００３８】
好ましくは、携帯電話機の制御部は、サーバからの認証データの送信要求に応じてメモリ部に記憶された認証データを読出し、その読出した認証データを送受信部を介してサーバへ送信し、サーバにおいて認証データが認証されたことに基づいてコンテンツデータおよび着信メロディを送受信部を介して受信する。
【００３９】
携帯電話機の制御部は、サーバからの認証データの要求に応じて、メモリから認証データを読出し、その読出した認証データをサーバへ送信する。そして、携帯電話機は、サーバにおいて、認証データが認証されたことに基づいてコンテンツデータおよび着信メロディを受信する。
【００４０】
したがって、この発明によれば、正規の携帯電話機に対してのみ、コンテンツデータおよび着信メロディを送信できる。
【００４１】
好ましくは、携帯電話機の制御部は、送受信部を介して着信メロディの配信要求をサーバへ送信した場合のみ着信メロディを受信する。
【００４２】
携帯電話機は、サーバへの着信メロディの配信要求を任意に行ない、着信メロディの配信要求を行なった場合のみサーバから着信メロディを受信する。
【００４３】
したがって、この発明によれば、携帯電話機のユーザは、着信メロディの配信を希望するときだけ、着信メロディを受信できる。
【００４４】
好ましくは、携帯電話機は、着信メロディを外部へ出力するための出力部をさらに備え、制御部は、サーバにおいて再生された着信メロディを送受信部を介して受信し、その受信した着信メロディを出力部へ与え、キー操作部を介して着信メロディの配信要求が入力されたことに応じて着信メロディの配信要求を送受信部を介してサーバへ送信する。
【００４５】
携帯電話機のユーザは、サーバで再生された着信メロディを試聴し、ユーザが着信メロディの配信を希望した場合だけ、携帯電話機は、着信メロディを受信する。
【００４６】
したがって、この発明によれば、ユーザは実際に試聴して着信メロディの配信を受けるか否かを決定でき、好きな着信メロディのみを受信できる。
【００４７】
好ましくは、コンテンツデータは、音楽データであり、携帯電話機の制御部は、配信要求した音楽データに関連するメロディを着信メロディとして受信する。
【００４８】
携帯電話機は、配信要求した音楽コンテンツデータと関連する着信メロディを受信する。
【００４９】
したがって、この発明によれば、ユーザが聴きたいと思った曲を着信メロディとして携帯電話機に設定できる。
【００５０】
好ましくは、コンテンツデータは、音楽データであり、携帯電話機の制御部は、サーバへ配信要求される回数が所定回数以上の音楽データの一部を着信メロディとして受信する。
【００５１】
携帯電話機は、音楽コンテンツデータの配信要求をサーバへ送信すると、人気の高い曲の一部を着信メロディとして受信する。
【００５２】
したがって、この発明によれば、ユーザは流行っている曲を着信メロディとして携帯電話機に設定できる。
【００５３】
好ましくは、コンテンツデータは、音楽データであり、携帯電話機の制御部は、配信要求した音楽データの属するジャンルに基づいて決定される着信メロディを受信する。
【００５４】
携帯電話機は、音楽コンテンツデータの配信要求を送信すると、配信要求した音楽コンテンツデータの属するジャンルに対して決定されている着信メロディを受信する。
【００５５】
したがって、この発明によれば、同じジャンルの音楽コンテンツデータの配信を要求する限り、携帯電話機は同じ着信メロディを受信できる。
【００５６】
好ましくは、携帯電話機の制御部は、コンテンツデータと着信メロディとを非通話状態で受信する。
【００５７】
携帯電話機は、コンテンツデータと着信メロディとを非通話状態で受信する。
したがって、この発明によれば、携帯電話機のユーザは、より少ない費用でコンテンツデータを受信できる。
【００５８】
好ましくは、携帯電話機の制御部は、キー操作部から入力された着信メロディの設定要求に応じて受信した着信メロディをメモリ部から読出して着信音発生部へ与える。
【００５９】
携帯電話機の制御部は、キー操作部から着信メロディの設定要求が入力されると、メモリ部から着信メロディを読出し、着信音発生部に設定する。
【００６０】
したがって、この発明によれば、ユーザは、設定したいときに着信メロディを設定できる。
【００６１】
また、この発明による配信システムは、コンテンツデータの配信要求を行ない、コンテンツデータと着信メロディとを受信して着信メロディを設定する携帯電話機と、携帯電話機からのコンテンツデータの配信要求に応じてコンテンツデータと着信メロディとを携帯電話機に配信する事業者と、コンテンツデータを事業者に提供するコンテンツ会社とを含み、携帯電話機のユーザは、事業者にコンテンツデータに対する対価のみを支払い、事業者は、コンテンツデータに対する対価をコンテンツ会社に支払い、コンテンツデータの広告料および販売手数料をコンテンツ会社から受取る。
【００６２】
この発明による配信システムにおいては、携帯電話機のユーザは、自己の携帯電話機を用いて事業者にコンテンツデータの配信要求を行ない、事業者からコンテンツデータと着信メロディとを受信して着信メロディを自己の携帯電話機に設定する。また、事業者はコンテンツ会社からコンテンツデータの提供を受ける。携帯電話機のユーザは、コンテンツデータに対する対価のみを事業者に支払い、事業者は、コンテンツデータの対価をコンテンツ会社に支払い、コンテンツ会社から広告料および販売手数料を受取る。つまり、コンテンツ会社と事業者は着信メロディに対する対価を受け取らず、着信メロディをコンテンツデータの配信を促進する広告として用いる。なお、携帯電話機のユーザが支払う「コンテンツデータに対する対価のみ」とは、コンテンツデータおよび着信メロディのうち、コンテンツデータに対する対価のみを意味するものである。したがって、携帯電話機のユーザが携帯電話機の基本料金および通話料金を支払うことは除外されていない。
【００６３】
したがって、この発明によれば、携帯電話機のユーザは、配信を希望するコンテンツデータに対する対価のみを支払うだけで、着信メロディを受信して自己の携帯電話機に自動設定できる。
【００６４】
【発明の実施の形態】
本発明の実施の形態について図面を参照しながら詳細に説明する。なお、図中同一または相当部分には同一符号を付してその説明は繰返さない。
【００６５】
図１を参照して、本発明の実施の形態による音楽コンテンツデータの配信システムを概念的に説明する。配信システム２００は、携帯電話機１０，１１，・・と、基地局２０と、電話通信網３０と、基地局制御部４０と、サーバ５０とを備える。携帯電話機１０，１１，・・と、基地局２０とは基地局エリア２１を構成し、基地局２０と、携帯電話機１０，１１，・・の各々とは無線で通信が行なわれる。また、電話通信網３０には、固定端末６１，６２，６３，・・が接続されており、固定端末６１，６２，６３，・・と携帯電話機１０，１１，・・とは電話通信網３０を介して通話をすることができる。サーバ５０は、基地局制御部４０を介して電話通信網３０と接続されており、電話通信網３０および基地局２０を介して携帯電話機１０，１１，・・へ音楽コンテンツデータおよび着信メロディを配信可能である。つまり、サーバ５０は、固定端末６１，６２，６３，・・へ音楽コンテンツデータおよび着信メロディを配信しない。サーバ５０から携帯電話機１０，１１，・・への音楽コンテンツデータおよび着信メロディの配信は、一般家庭に設置されている電話等の固定端末６１，６２，６３，・・が接続された既存の電話通信網３０を介して行なわれることを示すために固定端末６１，６２，６３，・・を示したものであり、サーバ５０が音楽コンテンツデータおよび着信メロディの配信先端末として固定端末６１，６２，６３，・・を示したものではない。
【００６６】
携帯電話機１０，１１，・・の各ユーザは、音楽コンテンツデータの配信を希望するとき、サーバ５０へ電話をして音楽コンテンツデータの配信要求を行なう。たとえば、携帯電話機１０のユーザが音楽コンテンツデータの配信を希望するとき、携帯電話機１０のユーザは、サーバ５０へ電話をする。そうすると、携帯電話機１０からの通信信号は、基地局２０および電話通信網３０を介して基地局制御部４０に到達する。そして、基地局制御部４０は、基地局２０を介して送られてきた通信信号と、他の基地局（図示せず）を介して送られてきた通信信号とを制御し、順次、各通信信号をサーバ５０へ送信する。そうすると、サーバ５０は、通信信号を受信し、基地局２０に接続された携帯電話機１０との間で回線を接続する。
【００６７】
サーバ５０は、後述する方法によって音楽コンテンツデータおよび着信メロディを基地局制御部４０、電話通信網３０、および基地局２０を介して携帯電話機１０へ配信する。
【００６８】
このように、サーバ５０から携帯電話機１０，１１，・・への音楽コンテンツデータおよび着信メロディの配信は、既存の電話通信網３０を介して行なわれる。
【００６９】
図２を参照して、音楽コンテンツデータおよび着信メロディを携帯電話機１０へ配信する際のサーバ５０の機能について説明する。サーバ５０は、音声ガイダンス部５１と、データ配信制御部５２と、データベース部５３とを備える。データベース部５３は、音楽コンテンツ用データベース５３１と、着信メロディ用データベース５３２と、認証データ保持部５３３とから成る。
【００７０】
音声ガイダンス部５１は、携帯電話機１０から音楽コンテンツデータの配信要求を受信すると、携帯電話機１０との間で双方向の通信を確立する。また、音声ガイダンス部５１は、データ配信制御部５２からの制御に基づいて携帯電話機１０へ端末情報の要求を双方向通信によって行ない、携帯電話機１０から端末情報を受信すると、その受信した端末情報をデータ配信制御部５２へ出力する。この端末情報は、携帯電話機１０が正規の携帯電話機であるか否かを確認するための情報、つまり、携帯電話機１０を認証するための認証データである。この認証データは、通常、携帯電話機１０の電話番号、携帯電話機１０のユーザの名前、および契約番号等である。
【００７１】
さらに、音声ガイダンス部５１は、データ制御部５２から携帯電話機１０が正規の携帯電話機であることが認証されたことを示す信号を受信すると、音楽コンテンツデータのジャンルリストを双方向通信によって携帯電話機１０へ送信し、携帯電話機１０からジャンルリストの中から選択されたジャンルのジャンル番号を受信する。そして、音声ガイダンス部５１は、その選択されたジャンルに含まれる曲名リストを携帯電話機１０へ送信する。このように音声ガイダンス部５１は、ジャンルリストおよび曲名リストを保持しており、音楽コンテンツデータの配信要求があったとき、配信する音楽コンテンツデータを特定する機能を果たす。音声ガイダンス部５１は、携帯電話機１０から選曲された音楽コンテンツデータの番号を受信すると、その番号をデータ配信制御部５２へ出力する。
【００７２】
データ配信制御部５２は、サーバ５０へアクセスしてきた携帯電話機１０が正規の携帯電話機であるか否かを確認するために、音声ガイダンス部５１が携帯電話機１０から受信した端末情報を、データベース部５３の認証データ保持部５３３に保持された認証データと比較する。そして、データ配信制御部５２は、携帯電話機１０が正規の携帯電話機であることを確認すると、その旨を示す信号を音声ガイダンス部５１へ送信する。また、データ配信制御部５２は、音声ガイダンス部５１から選曲された音楽コンテンツデータの番号を受信すると、その番号に対応する音楽コンテンツデータを音楽コンテンツ用データベース５３１から抽出するとともに、着信メロディ用データベース５３２から着信メロディを抽出し、音楽コンテンツデータと着信メロディとを通信装置（図示省略）を介して携帯電話機１０へ配信する。データ配信制御部５２は、選曲された音楽コンテンツデータに関連するメロディを着信メロディとして選択する方法、サーバ５０へのアクセス回数の多い順序に従って、そのアクセス回数の多い曲の一部を着信メロディとして選択する方法、およびジャンル毎に決められた着信メロディを選択する方法のいずれかの方法によって着信メロディを抽出する。さらに、データ配信制御部５２は、音楽コンテンツデータおよび着信メロディの携帯電話機１０への配信が終了すると配信終了信号を通信装置（図示省略）を介して携帯電話機１０へ送信する。
【００７３】
音楽コンテンツ用データベース５３１は、各種の音楽コンテンツデータを保持している。すなわち、音楽コンテンツ用データベース５３１は、演歌、ロック、Ｊ−ＰＯＰ等の各種のジャンルの音楽コンテンツデータを保持している。
【００７４】
着信メロディ用データベース５３２は、各種の着信メロディを保持している。音楽コンテンツデータおよび着信メロディは、ＭＰ３方式（ＭＰＥＧ−１オーディオ・レイヤー３方式）によって圧縮された圧縮データとして、それぞれ、音楽コンテンツ用データベース５３１、着信メロディ用データベース５３２に保持されている。
【００７５】
図３を参照して、携帯電話機１０の構成について説明する。携帯電話機１０は、バスＢＳと、アンテナ１００と、送信部１０１と、受信部１０２と、ＣＰＵ１０３と、キー操作部１０４と、表示部１０５と、メモリ１０６と、着信音発生部１０７と、音声復号部１０８と、オーディオ復号部１０９と、音声入出力部１１０とを備える。
【００７６】
アンテナ１００は、基地局２０からの信号を受信して受信部１０２へ出力するとともに、送信部１０１からの信号を基地局２０へ送信する。送信部１０１は、基地局２０へ送信する信号をバスＢＳから受取り、所定の通信方式に変調してアンテナ１００へ出力する。受信部１０２は、アンテナ１００から受取った信号を復調してバスＢＳに与える。
【００７７】
ＣＰＵ１０３は、受信部１０２が受信した音楽コンテンツデータおよび着信メロディをバスＢＳを介して受取り、音楽コンテンツデータおよび着信メロディをメモリ１０６へ書込む。また、ＣＰＵ１０３は、メモリ１０６に書込んだ着信メロディをバスＢＳを介してメモリ１０６から読出し、着信音発生部１０７に与え、着信メロディの設定を行なう。さらに、ＣＰＵ１０３は、その他、携帯電話機１０を構成する各部を制御する。キー操作部１０４は、ユーザがキー操作によって各種の指示を入力するためのものである。表示部１０５は、サーバ５０から送られてきたジャンルリスト、曲名リストを視覚情報としてユーザに与えるものである。表示部１０５は、ＬＣＤ（Ｌｉｑｕｉｄ  Ｃｒｙｓｔａｌ  Ｄｉｓｐｌａｙ）によって構成される。メモリ１０６は、サーバ５０から受信した音楽コンテンツデータおよび着信メロディを記憶する。また、メモリ１０６は、携帯電話機１０が正規の携帯電話機であることを示す認証データを記憶する。メモリ１０６は、たとえば、ＥＥＰＲＯＭのような不揮発性メモリによって構成される。
【００７８】
着信音発生部１０７は、他の携帯電話機から着信があったとき設定された着信メロディに従って着信音を発生させ、バスＢＳを介して音声入出力部１１０へ出力する。音声復号部１０８は、他の携帯電話機との通話において、受信部１０２が受信した相手側の音声データを復号する。オーディオ復号部１０９は、メモリ１０６に記憶された音楽コンテンツデータを復号する。つまり、オーディオ復号部１０９は、ＭＰ３方式によって圧縮された音楽コンテンツデータを解凍する。
【００７９】
音声入出力部１１０は、音声復号部１０８によって復号された音声信号、およびオーディオ復号部１０９によって復号された音楽データを外部へ出力するとともに、携帯電話機１０のユーザが喋った音声データを入力する。すなわち、音声入出力部１１０は、マイクとスピーカとによって構成される。
【００８０】
なお、図３においては、音楽コンテンツデータの配信動作に関わる構成要素のみを示し、携帯電話機の本来の機能である通話機能等を行なう構成要素に関しては省略している。
【００８１】
図４および図５を参照して、サーバ５０から音楽コンテンツデータおよび着信メロディを受信するときのフローチャートについて説明する。まず、図４を参照して、音楽コンテンツデータのダウンロードが開始されると（ステップＳ１００）、携帯電話機１０のユーザはサーバ５０へ電話をかけ、音楽コンテンツの配信要求を送信する（ステップＳ１０２）。サーバ５０の音声ガイダンス部５１は、音楽コンテンツの配信要求を受信して携帯電話機１０との間で双方向通信を確立する（ステップＳ１０４）。そして、音声ガイダンス部５１は、携帯電話機１０から音楽コンテンツの配信要求を受信したことをデータ配信制御部５２へ出力する。そうすると、データ配信制御部５２は、ユーザ端末情報を要求するように音声ガイダンス部５１を制御し、音声ガイダンス部５１は、ユーザ端末情報の要求を双方向通信によって携帯電話機１０へ送信する（ステップＳ１０６）。携帯電話機１０のＣＰＵ１０３は、アンテナ１００、受信部１０２、およびバスＢＳを介してユーザ端末情報の要求を受信し（ステップＳ１０８）、バスＢＳを介してメモリ１０６から携帯電話機１０の認証データを読出し、バスＢＳ、送信部１０１、およびアンテナ１００を介してサーバ５０へ送信する（ステップＳ１１０）。
【００８２】
サーバ５０の音声ガイダンス部５１は、携帯電話機１０から認証データを受信すると（ステップＳ１１２）、その受信した認証データをデータ配信制御部５２へ出力する。そして、データ配信制御部５２は、音声ガイダンス部５１から入力された認証データを、認証データ保持部５３３に保持された認証データと比較することによって携帯電話機１０の認証処理を行なう（ステップＳ１１３）。データ配信制御部５２は、携帯電話機１０から送られてきた認証データが、認証データ保持部５３３に保持された認証データに一致するとき携帯電話機１０が認証されたと判断し、携帯電話機１０から送られてきた認証データが、認証データ保持部５３３に保持された認証データに不一致であるとき携帯電話機１０が認証されなかったと判断する（ステップＳ１１４）。ステップＳ１１４において、携帯電話機１０が認証されなかったとき、図５のステップＳ１５６へ移行し、音楽コンテンツデータの配信動作は終了する。
【００８３】
ステップＳ１１４において、携帯電話機１０が認証されたとき、データ配信制御部５２は、携帯電話機１０が認証された旨を音声ガイダンス部５１へ出力し、音声ガイダンス部５１は、保持している音楽コンテンツのジャンルリストを双方向通信によって携帯電話機１０へ送信する（ステップＳ１１６）。携帯電話機１０のＣＰＵ１０３は、アンテナ１００、受信部１０２、およびバスＢＳを介してジャンルリストを受信し（ステップＳ１１８）、バスＢＳを介して表示部１０５にジャンルリストを表示する。すなわち、表示部１０５には、図６に示すようなジャンルリスト７０が表示される。携帯電話機１０のユーザは、表示部１０５に表示されたジャンルリスト７０を見て、好みのジャンルを選択する。つまり、ユーザは、番号１．ポップス、２．演歌、３．ジャズ、４．童謡、・・の中から好みのジャンルの番号１，２，３，４，・・をキー操作部１０４から入力することによってジャンルを選択する。そうすると、ＣＰＵ１０３は、入力されたジャンル番号をバスＢＳ、送信部１０１、およびアンテナ１００を介してサーバ５０へ送信する（ステップＳ１２０）。サーバ５０の音声ガイダンス部５１は、選択されたジャンル番号を受信し（ステップＳ１２２）、選択されたジャンルに含まれる音楽コンテンツの曲名リストを携帯電話機１０へ送信する（ステップＳ１２４）。
【００８４】
携帯電話機１０のＣＰＵ１０３は、アンテナ１００、受信部１０２、およびバスＢＳを介して、曲名リストを受信し（ステップＳ１２６）、バスＢＳを介して表示部１０５に曲名リストを表示する。すなわち、ＣＰＵ１０３は、図７に示す曲名リスト７１を表示部１０５に表示する。曲名リスト７１は、音楽コンテンツデータの曲名と、そのデータサイズとからなる。ユーザは、表示部１０５に表示された曲名リストの中からダウンロードを希望する音楽コンテンツデータを、番号１，２，３，・・をキー操作部１０４から入力することによって選択する。また、ＣＰＵ１０３は、キー操作部１０４から入力された番号の音楽コンテンツデータのデータサイズに基づいて、選択された音楽コンテンツデータをメモリ１０６に記憶するだけの空き容量があるか否かをチェックし、空き容量があることを確認した後（ステップＳ１２８）、選択された曲番号をサーバ５０へ送信する（ステップＳ１３０）。そして、サーバ５０の音声ガイダンス部５１は、曲番号を受信する（ステップＳ１３２）。
【００８５】
音声ガイダンス部５１は、曲番号を受信すると、確認応答要求を送信する。つまり、携帯電話機１０のユーザがサーバ５０へ配信を要求した音楽コンテンツデータは、「このジャンルに含まれる、この音楽コンテンツデータであるが、それで間違いはありませんか？」という確認応答要求を携帯電話機１０へ送信する（ステップＳ１３４）。携帯電話機１０のＣＰＵ１０３は、アンテナ１００、受信部１０２、およびバスＢＳを介して確認応答要求を受信し（ステップＳ１３６）、サーバ５０へ配信要求を行なった音楽コンテンツデータのジャンルおよび曲名を確認する（ステップＳ１３８）。ＣＰＵ１０３は、受信した確認応答が配信要求を行った内容と異なる場合は、図４のステップＳ１２０へ戻り、ステップＳ１２０〜ステップＳ１３６が繰返し行われる。ＣＰＵ１０３は、受信した確認応答が配信要求を行った内容と一致する場合は、確認応答をバスＢＳ、送信部１０１、およびアンテナ１００を介してサーバ５０へ送信する（Ｓ１４０）。サーバ５０の音声ガイダンス部５１は、確認応答を受信すると（ステップＳ１４２）、その旨をデータ配信制御部５２へ出力する。
【００８６】
そうすると、データ配信制御部５２は、音声ガイダンス５１が受信した曲番号に基づいて、音楽コンテンツ用データベース５３１から選択された音楽コンテンツデータを抽出するとともに、着信メロディ用データベース５３２から着信メロディを抽出する。そして、データ配信制御部５２は、音楽コンテンツデータおよび着信メロディを携帯電話機１０へ送信する（ステップＳ１４４）。
【００８７】
携帯電話機１０のＣＰＵ１０３は、アンテナ１００、受信部１０２、およびバスＢＳを介して音楽コンテンツデータおよび着信メロディを受信し（ステップＳ１４６）、その受信した音楽コンテンツデータおよび着信メロディをバスＢＳを介してメモリ１０６に書込む（ステップＳ１４８）。
【００８８】
サーバ５０のデータ配信制御部５２は、音楽コンテンツデータおよび着信メロディの送信を終了すると、配信終了信号を携帯電話機１０へ送信する（ステップＳ１５０）。そして、携帯電話機１０のＣＰＵ１０３は、アンテナ１００、受信部１０２、およびバスＢＳを介して配信終了信号を受信すると（ステップＳ１５２）、バスＢＳを介してメモリ１０６から着信メロディを読出し、その読出した着信メロディをバスＢＳを介して着信音発生部１０７に与える。これによって、着メロディが着信音発生部１０７に新たに設定される（ステップＳ１５４）。そして、音楽コンテンツデータおよび着信メロディの配信動作は終了する（ステップＳ１５６）。
【００８９】
音楽コンテンツデータおよび着信メロディの配信動作においては、通常、図４および図５に示すフローチャートのステップＳ１００〜ステップＳ１５４の全てを携帯電話機１０とサーバ５０との間で回線を確立した状態である通話状態で行なう。また、本発明においては、図４のステップ１００から図５のステップＳ１４２までを通話状態で行ない、ステップＳ１４４〜ステップＳ１５６を非通話状態で行なっても良い。この非通話状態における音楽コンテンツデータおよび着信メロディの受信とは、携帯電話機１０の待受け状態におけるデータの受信を意味し、音楽コンテンツデータおよび着信メロディはパケット通信によって携帯電話機１０に送信される。
【００９０】
着信メロディが着信音発生部１０７に設定された後に、他の携帯電話機からの着信があると、ＣＰＵ１０３は、着信があったこと示す信号をバスＢＳを介して着信音発生部１０７へ出力する。着信音発生部１０７は、着信があったことを示す信号を受信すると、設定された着信音に従って着信メロディを発生させ、その発生させた着信メロディを、バスＢＳを介して音声入出力部１１０へ与える。そして、音声入出力部１１０は、着信メロディを外部へ発生させる。これによって、携帯電話機１０のユーザは、新たに受信した着信メロディを聴いて着信があったことを知ることができる。
【００９１】
また、携帯電話機１０のＣＰＵ１０３は、キー操作部１０４からの音楽コンテンツデータの再生要求に応じてバスＢＳを介してメモリ１０６から音楽コンテンツデータを読出し、その読出した音楽コンテンツデータをバスＢＳを介してオーディオ復号部１０９へ与える。オーディオ復号部１０９は、入力された音楽コンテンツデータを復号する。そして、ＣＰＵ１０３は、復号された音楽コンテンツデータを音声入出力部１１０へ与え、音声入出力部１１０は、音楽コンテンツデータを外部へ出力する。これによって、携帯電話機１０のユーザは、サーバ５０からダウンロードした音楽コンテンツデータを聴くことができる。
【００９２】
上述したように、携帯電話機１０のユーザは、既存の電話通信網３０を介してサーバ５０から希望する音楽コンテンツデータと着信メロディとを同時に受信することができる。
【００９３】
本発明による音楽コンテンツデータの配信動作は、次に説明するものであっても良い。すなわち、図４に示すステップＳ１００からステップＳ１３２を実行した後、図８および図９に示す各ステップを実行するものであっても良い。図４のステップＳ１３２の後、サーバ５０の音声ガイダンス部５１は、受信した曲番号をデータ配信制御部５２へ出力する。そして、データ配信制御部５２は、着信メロディを着信メロディ用データベース５３２から選択し、着信メロディを再生部（図示省略）で再生した後、その再生した着信メロディを音声ガイダンス部５１へ与える。そうすると、音声ガイダンス部５１は、再生された着信メロディを双方向通信によって携帯電話機１０へ送信する（ステップＳ１３３Ａ）。
【００９４】
携帯電話機１０のＣＰＵ１０３は、アンテナ１００、受信部１０２、およびバスＢＳを介して再生された着信メロディを受信し、バスＢＳを介して音声入出力部１１０へ与える。そして、音声入出力部１１０は、再生された着信メロディを外部へ出力し、ユーザは着信メロディを試聴する（ステップＳ１３３Ｂ）。ユーザは、着信メロディを試聴した結果、配信を希望するとき、着信メロディの配信要求をキー操作部１０４から入力する。また、ユーザは、着信メロディを試聴した結果、配信を希望しないとき、着信メロディの配信不要求をキー操作部１０４から入力する。
【００９５】
ＣＰＵ１０３は、着信メロディの配信を要求するか否かを判別し（ステップＳ１３３Ｃ）、着信メロディの配信要求をキー操作部１０４を介して受信したとき、バスＢＳ、送信部１０１、およびアンテナ１００を介して着信メロディの配信要求をサーバ５０へ送信する（ステップＳ１３３Ｄ）。
【００９６】
そうすると、サーバ５０の音声ガイダンス部５１は、着信メロディの配信要求を受信する（ステップＳ１３３Ｅ）。その後、図５を参照して説明したステップＳ１３４〜ステップＳ１５４を実行し、図９のステップＳ１８４へ移行する。
【００９７】
また、ステップＳ１３３Ｃにおいて着信メロディの配信を要求しないと判断されると、図９のステップＳ１６０へ移行する。すなわち、携帯電話機１０のＣＰＵ１０３は、着信メロディの配信不要求をバスＢＳ、送信部１０１、およびアンテナ１００を介してサーバ５０へ送信する（ステップＳ１６０）。そして、サーバ５０の音声ガイダンス部５１は、着信メロディの配信不要求を受信する（ステップＳ１６２）。その後、音声ガイダンス部５１は、確認応答要求を送信する。つまり、携帯電話機１０のユーザがサーバ５０へ配信を要求した音楽コンテンツデータは、「このジャンルに含まれる、この音楽コンテンツデータであるが、それで間違いはありませんか？、着信メロディの配信は希望しないのですね？」という確認応答要求を携帯電話機１０へ送信する（ステップＳ１６４）。携帯電話機１０のＣＰＵ１０３は、アンテナ１００、受信部１０２、およびバスＢＳを介して確認応答要求を受信し（ステップＳ１６６）、サーバ５０へ配信要求を行なった音楽コンテンツデータのジャンルおよび曲名を確認する（ステップＳ１６８）。ＣＰＵ１０３は、受信した確認応答が配信要求を行った内容と異なる場合は、図４のステップＳ１２０へ戻り、図４のステップＳ１２０〜ステップＳ１３２、および図９のステップＳ１６２〜ステップＳ１６８が繰返し行われる。ＣＰＵ１０３は、受信した確認応答が配信要求を行った内容と一致する場合は、確認応答をバスＢＳ、送信部１０１、およびアンテナ１００を介してサーバ５０へ送信する（Ｓ１７０）。サーバ５０の音声ガイダンス部５１は、確認応答を受信すると（ステップＳ１７２）、その旨をデータ配信制御部５２へ出力する。
【００９８】
そうすると、データ配信制御部５２は、音声ガイダンス５１が受信した曲番号に基づいて、音楽コンテンツ用データベース５３１から選択された音楽コンテンツデータを抽出する。この場合、データ配信制御部５２は、携帯電話機１０から着信メロディの配信不要求を受信しているので、着信メロディ用データベース５３２から着信メロディを読出すことはない。そして、データ配信制御部５２は、音楽コンテンツデータを携帯電話機１０へ送信する（ステップＳ１７４）。
【００９９】
携帯電話機１０のＣＰＵ１０３は、アンテナ１００、受信部１０２、およびバスＢＳを介して音楽コンテンツデータを受信し（ステップＳ１７６）、その受信した音楽コンテンツデータをバスＢＳを介してメモリ１０６に書込む（ステップＳ１７８）。
【０１００】
サーバ５０のデータ配信制御部５２は、音楽コンテンツデータの送信を終了すると、配信終了信号を携帯電話機１０へ送信する（ステップＳ１８０）。そして、携帯電話機１０のＣＰＵ１０３は、アンテナ１００、受信部１０２、およびバスＢＳを介して配信終了信号を受信して（ステップＳ１８２）、音楽コンテンツデータの配信動作は終了する（ステップＳ１８４）。
【０１０１】
図４、図８、および図９に示されたフローチャートによる音楽コンテンツデータの配信動作においては、ユーザは着信メロディを試聴して気に入った場合だけサーバ５０から配信してもらうことができる。したがって、ユーザは、自分の携帯電話機１０に好みの着信メロディのみを設定することができる。
【０１０２】
本発明による音楽コンテンツデータの配信動作は、次に説明するものであっても良い。すなわち、図１０に示すステップＳ１００〜ステップＳ１２９を行なった後、図８のステップＳ１３３Ｄ〜Ｓ１５４または図９に示すステップＳ１６０〜Ｓ１８４を実行するものであっても良い。
【０１０３】
図１０のステップＳ１００〜ステップＳ１２８は、図４に示すステップＳ１００〜ステップＳ１２８と同じである。ステップＳ１２８の後、携帯電話機１０のＣＰＵ１０３は、着信メロディの配信要求を行なうか否かを判断し（ステップＳ１２９）、着信メロディの配信要求を行なう場合は図８のステップＳ１３３ｄへ移行し、ステップＳ１３３Ｄ〜ステップＳ１５４が実行される。つまり、上述した着信メロディの配信要求を行なう場合のステップが実行される。一方、ステップＳ１２９において、ＣＰＵ１０３が着信メロディの配信要求しないと判断したときは、図９のステップＳ１６０へ移行し、ステップＳ１６０〜ステップＳ１８４が実行される。つまり、上述した着信メロディの配信を要求しない場合のステップが実行される。
【０１０４】
図１０を参照したフローチャートに従えば、携帯電話機１０のユーザは、音楽コンテンツデータの配信要求をサーバ５０へ行なう度毎に着信メロディをサーバ５０から受信する必要はなく、着信メロディの受信を希望する場合だけ着信メロディを受信できる。
【０１０５】
上述した音楽コンテンツデータの配信動作によって受信した着信メロディは、受信と同時に着信音発生部１０７に設定しなくても良く、携帯電話機１０のユーザが設定したいタイミングで設定しても良い。その場合、ユーザは、キー操作部１０４から着信メロディの設定要求を入力する。そうすると、ＣＰＵ１０３は、着信メロディの設定要求に応じてメモり１０６から着信メロディを読出し、その読出した着信メロディを着信音発生部１０７に設定する。これによって、ユーザは、自己が希望するタイミングで着信メロディを携帯電話機１０に設定できる。
【０１０６】
また、上述した音楽コンテンツデータの配信動作においては、携帯電話機１０のユーザは、音楽コンテンツデータの受信に対して料金を支払う。したがって、携帯電話機１０のユーザは、音楽コンテンツデータとともに着信メロディも受信した場合でも音楽コンテンツデータに対してのみ料金を支払う。また、携帯電話機１０のユーザは、上述した各種の配信動作を用いることによって好みの着信メロディを受信したタイミングで受信することができる。
【０１０７】
図１１を参照して、音楽コンテンツデータを配信するビジネス方法について説明する。なお、図１１において実線の矢印は情報の流れを示し、点線の矢印は金銭の流れを示す。
【０１０８】
ユーザ３００は、携帯電話機１０を用いて事業者４００との間で上述したシステムに従って音楽コンテンツデータおよび着信メロディを配信してもらい、その代償として事業者４００に基本料金、通話料金、および購入コンテンツの対価を支払う。この場合、ユーザ３００は、購入した音楽コンテンツデータに対する対価のみを支払う。したがって、ユーザ３００は、着信メロディをサービスとして受信することができる。
【０１０９】
事業者４００は、音楽会社５０から音楽コンテンツデータの提供を受け、音楽コンテンツデータの宣伝および販売をユーザ３００に対して行なう。そして、事業者４００は、音楽会社５００から広告料および販売手数料を徴収し、販売用音楽コンテンツの対価を音楽会社５００へ支払う。
【０１１０】
全体的には、事業者４００は、ユーザ３００からの音楽コンテンツデータの配信要求に応じて音楽コンテンツデータおよび着信メロディをユーザ３００へ送信する代償として音楽コンテンツデータの対価をユーザ３００から徴収する。また、事業者４００は、音楽会社５００に対して販売用音楽コンテンツデータの対価を支払い、音楽会社５００から広告料および音楽コンテンツデータの販売手数料を徴収する。これによって、事業者４００は、着信メロディを音楽コンテンツデータの広告として機能させることができ、着信メロディを気に入れば、その着信メロディを含む音楽コンテンツデータの配信要求を受取る。これによって、事業者４００は、音楽コンテンツデータの販売数を増加させることができる。事業者４００が音楽コンテンツデータの販売数を増加させれば、事業者４００は、より多くの音楽コンテンツの対価を音楽会社５００へ支払う。その結果、音楽会社５００は、広告料および販売手数料をより多く事業者４００に支払う。その結果、正のフィードバックが生じ、事業者４００、および音楽会社５００の収入が増加するとともに、ユーザ３００は、好きな音楽コンテンツデータおよび着信メロディを受信し、受信した着信メロディを自己の携帯電話機に設定することができる。
【０１１１】
上記においては、音楽コンテンツデータとともに着信メロディを携帯電話機１０へ配信する例について説明したが、コンテンツデータは音楽コンテンツデータに限られず、画像データ、地図データ等の音楽以外のコンテンツデータであっても良い。本発明においては、携帯電話機のユーザが自己の携帯電話機に着信メロディを自動設定できるものであればどのようなコンテンツデータとともに着信メロディを配信しても良い。また、最近の携帯電話機の機能アップを考慮すると、携帯電話機で画像データを受信したり、地図データを受信して携帯電話機をナビゲーターとして使用することも考えられる。したがって、画像データおよび地図データの配信とともに着信メロディを携帯電話機に配信しても良い。
【０１１２】
今回開示された実施の形態はすべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【図面の簡単な説明】
【図１】本発明による音楽コンテンツデータの配信システムを概念的に説明するための概略図である。
【図２】図１に示すサーバの機能を説明するためのブロック図である。
【図３】図１に示す携帯電話機の構成を説明するためのブロック図である。
【図４】音楽コンテンツデータの配信動作を説明するための第１のフローチャートである。
【図５】音楽コンテンツデータの配信動作を説明するための第２のフローチャートである。
【図６】携帯電話機の表示部に表示されたジャンルリストを示す図である。
【図７】携帯電話機の表示部に表示された曲名リストを示す図である。
【図８】音楽コンテンツデータの他の配信動作を説明するための第１のフローチャートである。
【図９】音楽コンテンツデータの他の配信動作を説明するための第２のフローチャートである。
【図１０】音楽コンテンツデータのさらに他の配信動作を説明するための第１のフローチャートである。
【図１１】本発明によるビジネス方法を概略的に説明するための概念図である。
【符号の説明】
１０，１１  携帯電話機、２０  基地局、２１  基地局エリア、３０  電話通信網、４０  基地局制御部、５０  サーバ、５１  音声ガイダンス部、５２  データ配信制御部、５３  データベース部、６１〜６３  固定端末、７０  ジャンルリスト、７１  曲名リスト、１００  アンテナ、１０１  送信部、１０２  受信部、１０３  ＣＰＵ、１０４  キー操作部、１０５  表示部、１０６  メモリ、１０７  着信音発生部、１０８  音声復号部、１０９  オーディオ復号部、１１０  音声入出力部、２００  配信システム、３００  ユーザ、４００  事業者、５００  音楽会社、５３１  音楽コンテンツ用データベース、５３２  着信メロディ用データベース、５３３  認証データ保持部。
【図１】
0003634742.tif 000002
【図２】
0003634742.tif 000003
【図３】
0003634742.tif 000004
【図４】
0003634742.tif 000005
【図５】
0003634742.tif 000006
【図６】
0003634742.tif 000007
【図７】
0003634742.tif 000008
【図８】
0003634742.tif 000009
【図９】
0003634742.tif 000010
【図１０】
0003634742.tif 000011
【図１１】
0003634742.tif 000012